【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
本体側駆動伝達部材と本体側付勢部材とを有する電子写真画像形成装置本体に着脱可能なプロセスカートリッジにおいて、
（ｉ）回転可能な感光体と、
（ｉｉ）前記感光体に形成された潜像を現像するべく回転可能であって、前記感光体に対し接離可能な現像ローラと、
（ｉｉｉ）前記本体側付勢部材から付勢力を受けるための付勢力受け部と、
（ｉｖ）前記本体側駆動伝達部材とカップリング可能で、前記現像ローラを回転させるための回転力が伝達され得るカートリッジ側駆動伝達部材と、
（ｖ）前記付勢力受け部が前記本体側付勢部材から前記付勢力を受けることによって、前記カートリッジ側駆動伝達部材と前記本体側駆動伝達部材とのカップリングを解除すべく前記本体側駆動伝達部材を付勢可能な解除部材と、
を有することを特徴とするプロセスカートリッジ。
【請求項２】
前記付勢力受け部が前記本体側付勢部材から前記付勢力を受けることによって前記現像ローラが前記感光体から離間するように構成された請求項１に記載のプロセスカートリッジ。
【請求項３】
前記解除部材は、
前記本体側駆動伝達部材を付勢して前記本体側駆動伝達部材から前記カートリッジ側駆動伝達部材に回転力が伝達されるのを規制する第１の位置と、
前記本体側駆動伝達部材から前記カートリッジ側駆動伝達部材に駆動力が伝達されるのを許容する第２の位置と、
の間を移動可能な構成であることを特徴とする請求項１又は２に記載のプロセスカートリッジ。
【請求項４】
前記解除部材が前記第２の位置にある際に、前記カートリッジ側駆動伝達部材に設けられた回転力受け部が前記本体側駆動伝達部材に設けられた回転力付与部と接触して前記回転力を受けるように構成されたことを特徴とする請求項３に記載のプロセスカートリッジ。
【請求項５】
前記解除部材が前記第１の位置にある際に、前記現像ローラの回転軸線と平行な仮想線に前記回転力受け部と前記解除部材を投影すると、前記回転力受け部の領域と前記解除部材の領域とが少なくとも一部重なるように構成されたことを特徴とする請求項４に記載のプロセスカートリッジ。
【請求項６】
前記解除部材が前記第１の位置にある際に、前記仮想線において前記回転力受け部の領域がすべて前記解除部材の領域の内部に含まれるように構成されたことを特徴とする請求項５に記載のプロセスカートリッジ。
【請求項７】
前記解除部材が前記第２の位置から前記第１の位置に移動することで、前記仮想線において前記回転力受け部の領域と前記解除部材の領域とが重なる範囲が広がるように構成されたことを特徴とする請求項５又は６に記載のプロセスカートリッジ。
【請求項８】
前記解除部材が前記第２の位置にある際に前記仮想線に前記解除部材および前記回転力受け部を投影すると、前記解除部材の領域と前記回転力受け部の領域が実質的に重ならないように構成されたことを特徴とする請求項５乃至７のいずれか１項に記載のプロセスカートリッジ。
【請求項９】
前記解除部材が前記第２の位置にある際に、前記現像ローラの長手方向において前記解除部材の先端は前記回転力受け部の後端と実質的に同じ位置か、それよりも更に内側に位置することを特徴とする請求項４乃至８のいずれか１項に記載のプロセスカートリッジ。
【請求項１０】
前記解除部材が前記第１の位置にある際に、前記現像ローラの長手方向において前記解除部材の先端は前記回転力受け部の先端と実質的に同じ位置か、それよりも更に外側に位置することを特徴とする請求項４乃至９のいずれか１項に記載のプロセスカートリッジ。
【請求項１１】
前記カートリッジ側駆動伝達部材は、前記回転力受け部に隣接して前記現像ローラの回転軸線に対して傾斜した傾斜部を有し、
前記解除部材が前記第１の位置にある際に、前記傾斜部が前記本体側駆動伝達部材と接触するように構成されたことを特徴とする請求項４乃至１０のいずれか１項に記載のプロセスカートリッジ。
【請求項１２】
前記カートリッジ側駆動伝達部材の端部に設けられた突起が、前記回転力受け部を有することを特徴とする請求項４乃至１１のいずれか１項に記載のプロセスカートリッジ。
【請求項１３】
前記回転力受け部は前記プロセスカートリッジの外部に露出していることを特徴とする請求項４乃至１２のいずれか１項に記載のプロセスカートリッジ。
【請求項１４】
前記プロセスカートリッジは、前記現像ローラを回転させるための回転力を前記現像ローラまで伝達させる駆動力伝達機構を有し、
前記カートリッジ側駆動伝達部材は、前記現像ローラに前記回転力を伝達する経路において前記駆動力伝達機構の最も上流に配置されることを特徴とする請求項１乃至１３のいずれか１項に記載のプロセスカートリッジ。
【請求項１５】
前記解除部材は、
前記本体側駆動伝達部材を付勢するための力を受け得る解除部材側力受け部と、
前記解除部材側力受け部が受けた力によって前記本体側駆動伝達部材を付勢可能な解除部材側付勢部と、
を有することを特徴とする請求項１乃至１４のいずれか１項に記載のプロセスカートリッジ。
【請求項１６】
前記解除部材側付勢部は環状であることを特徴とする請求項１５に記載のプロセスカートリッジ。
【請求項１７】
前記解除部材側付勢部は複数設けられることを特徴とする請求項１５に記載のプロセスカートリッジ。
【請求項１８】
複数の前記解除部材側付勢部は互いに等間隔に配置されることを特徴とする請求項１７に記載のプロセスカートリッジ。
【請求項１９】
前記解除部材は、前記プロセスカートリッジの内部に向けて移動するための力を受ける第２の解除部材側力受け部を有することを特徴とする請求項１乃至１８のいずれか１項に記載のプロセスカートリッジ。
【請求項２０】
前記解除部材は、前記現像ローラの回転軸線と実質的に平行に移動可能に構成されていることを特徴とする請求項１乃至１９のいずれか１項に記載のプロセスカートリッジ。
【請求項２１】
前記解除部材が前記現像ローラの回転軸線と実質的に平行に移動すべく、前記解除部材に設けられた被ガイド部をガイドするガイド部を有することを特徴とする請求項２０に記載のプロセスカートリッジ。
【請求項２２】
前記ガイド部は、前記現像ローラの回転軸線と実質的に平行に形成されていることを特徴とする請求項２１に記載のプロセスカートリッジ。
【請求項２３】
前記解除部材の前記被ガイド部は、前記現像ローラの回転軸線と実質的に平行に形成されていることを特徴とする請求項２１又は２２に記載のプロセスカートリッジ。
【請求項２４】
前記プロセスカートリッジはカートリッジ枠体を有し、
前記カートリッジ枠体が前記ガイド部を有していることを特徴とする請求項２１乃至２３のいずれか１項に記載のプロセスカートリッジ。
【請求項２５】
前記プロセスカートリッジは、前記カートリッジ側駆動伝達部材から受けた前記回転力を前記現像ローラへ伝達するための現像ローラ駆動伝達部材を有することを特徴とする請求項１乃至２４のいずれか１項に記載のプロセスカートリッジ。
【請求項２６】
前記現像ローラ駆動伝達部材は、前記現像ローラへ伝達するための回転力を受けるギア部を有することを特徴とする請求項２５に記載のプロセスカートリッジ。
【請求項２７】
前記付勢力受け部が前記本体側付勢部材から前記付勢力を受けた際に、前記解除部材が前記プロセスカートリッジの外部に向かって移動することを特徴とする請求項１乃至２６のいずれか１項に記載のプロセスカートリッジ。
【請求項２８】
前記付勢力受け部が前記本体側付勢部材から前記付勢力を受けた際に、前記解除部材が前記現像ローラの長手方向における外側に向かって移動することを特徴とする請求項１乃至２７のいずれか１項に記載のプロセスカートリッジ。
【請求項２９】
前記プロセスカートリッジは、前記現像ローラを回転可能に支持する現像枠体を有し、前記現像枠体は前記解除部材を支持していることを特徴とする請求項２８に記載のプロセスカートリッジ。
【請求項３０】
前記カートリッジ側駆動伝達部材は前記解除部材を支持していることを特徴とする請求項１乃至２９のいずれか１項に記載のプロセスカートリッジ。
【請求項３１】
前記解除部材は、前記カートリッジ側駆動伝達部材の近傍に配置されることを特徴とする請求項１乃至３０のいずれか１項に記載のプロセスカートリッジ。
【請求項３２】
前記解除部材は、実質的に円筒形状である解除部材側円筒部を有し、
前記解除部材側円筒部の内部に前記カートリッジ側駆動伝達部材が配置された状態で、前記解除部材は往復移動可能に構成されていることを特徴とする請求項１乃至３１のいずれか１項に記載のプロセスカートリッジ。
【請求項３３】
前記カートリッジ側駆動伝達部材は、その内部に貫通孔を有し、
前記解除部材は前記貫通孔の内部で往復移動可能に構成されていることを特徴とする請求項１乃至３１のいずれか１項に記載のプロセスカートリッジ。
【請求項３４】
前記プロセスカートリッジは、前記解除部材に対し回動可能な回動部材を有し、
前記回動部材は前記解除部材に対して回動することによって前記解除部材を前記現像ローラの長手方向において移動させるように構成されたことを特徴とする請求項１乃至３３のいずれか１項に記載のプロセスカートリッジ。
【請求項３５】
前記回動部材が前記解除部材に対して回動する向きに応じて、前記解除部材が前記現像ローラの長手方向において移動する向きが変わるように構成されたことを特徴とする請求項３４に記載のプロセスカートリッジ。
【請求項３６】
前記回動部材は、前記解除部材に対して回動することで前記解除部材に対して前記現像ローラの長手方向における外側に向けた力を加える回動部材側付勢部を有することを特徴とする請求項３４又は３５に記載のプロセスカートリッジ。
【請求項３７】
前記回動部材側付勢部は、前記解除部材に設けられた解除部材側力受け部を付勢するものであって、
前記解除部材側力受け部と前記回動部材側付勢部の少なくとも一方は、前記現像ローラの回転軸線に対して傾斜していることを特徴とする請求項３６に記載のプロセスカートリッジ。
【請求項３８】
前記解除部材が前記本体側駆動伝達部材を付勢している状態において、前記解除部材側力受け部と前記回動部材側付勢部は、互いに前記回転軸線に対して傾斜している部分で接触していることを特徴とする請求項３７に記載のプロセスカートリッジ。
【請求項３９】
前記回動部材は、前記解除部材に対して回動することで前記解除部材に対して前記現像ローラの長手方向における内側に向けた力を加える第２の回動部材側付勢部を有することを特徴とする請求項３４乃至３８のいずれか１項に記載のプロセスカートリッジ。
【請求項４０】
前記第２の回動部材側付勢部は、前記解除部材に設けられた第２の解除部材側力受け部を付勢するものであって、
前記第２の解除部材側力受け部と前記第２の回動部材側付勢部の少なくとも一方は、前記現像ローラの回転軸線に対して傾斜していることを特徴とする請求項３９に記載のプロセスカートリッジ。
【請求項４１】
前記解除部材が前記プロセスカートリッジの内部に向けて退避している状態において、前記第２の解除部材側力受け部と前記第２の回動部材側付勢部は互いに前記回転軸線に対して傾斜した部分で接触していることを特徴とする請求項４０に記載のプロセスカートリッジ。
【請求項４２】
前記プロセスカートリッジは、前記解除部材に力を加える弾性部材を有することを特徴とする請求項３４乃至４１のいずれか１項に記載のプロセスカートリッジ。
【請求項４３】
前記回動部材は、所定の回転方向に回転することで、前記弾性部材の力に抗して前記解除部材を前記プロセスカートリッジの外部に向けて移動させることを特徴とする請求項４２に記載のプロセスカートリッジ。
【請求項４４】
前記回動部材は、前記所定の回転方向とは反対方向に回転することで、前記弾性部材の力によって前記解除部材が前記プロセスカートリッジの内部に向けて移動するのを許容することを特徴とする請求項４３に記載のプロセスカートリッジ。
【請求項４５】
前記回動部材は、回動することによって前記解除部材を前記プロセスカートリッジの外部に向けて付勢する回動部材側付勢部を有することを特徴とする請求項４３又は４４に記載のプロセスカートリッジ。
【請求項４６】
前記回動部材は、所定の回転方向に回転することで、前記弾性部材の力によって前記解除部材が前記プロセスカートリッジの外部に向けて移動するのを許容することを特徴とする請求項４２に記載のプロセスカートリッジ。
【請求項４７】
前記回動部材は、前記所定の回転方向とは反対方向に回転することで、前記弾性部材の力に抗して前記解除部材を前記プロセスカートリッジの内部に向けて移動することを特徴とする請求項４６に記載のプロセスカートリッジ。
【請求項４８】
前記回動部材は、回動することによって前記解除部材を前記プロセスカートリッジの内部に向けて付勢する回動部材側付勢部を有することを特徴とする請求項４６又は４７に記載のプロセスカートリッジ。
【請求項４９】
前記回動部材は、前記解除部材が前記弾性部材の力によって前記カートリッジの外部へ移動するのを規制する規制部を有することを特徴とする請求項４６乃至４８のいずれか１項に記載のプロセスカートリッジ。
【請求項５０】
前記規制部が前記解除部材に設けられた被規制部と接触することで前記解除部材が前記カートリッジの外部へ移動するのが規制され、
前記規制部が前記被規制部から離れることで前記解除部材が前記カートリッジの外部へ移動するのが許容されることを特徴とする請求項４９に記載のプロセスカートリッジ。
【請求項５１】
前記規制部は前記現像ローラの回転軸線に対して実質的に垂直な面であることを特徴とする請求項４９又は５０に記載のプロセスカートリッジ。
【請求項５２】
前記プロセスカートリッジは、前記現像ローラを回転可能に支持する現像枠体を有し、前記回動部材は前記現像枠体に対して回転可能であることを特徴とする請求項３４乃至５１のいずれか１項に記載のプロセスカートリッジ。
【請求項５３】
前記回動部材は、実質的なリング形状のリング部を有することを特徴とする請求項５２に記載のプロセスカートリッジ。
【請求項５４】
前記回動部材は、前記リング部から突出した突出部を有することを特徴とする請求項５３に記載のプロセスカートリッジ。
【請求項５５】
前記プロセスカートリッジは、前記感光体を回転可能に支持する感光体枠体を有し、
前記突出部を前記感光体枠体に係合させることを特徴とする請求項５４に記載のプロセスカートリッジ。
【請求項５６】
前記回動部材は、前記現像ローラを支持する現像枠体であることを特徴とする請求項３４乃至５１のいずれか１項に記載のプロセスカートリッジ。
【請求項５７】
前記プロセスカートリッジは、前記感光体を回転可能に支持する感光体枠体を有し、
前記現像枠体は前記感光体枠体に対して回動することで前記現像ローラを前記感光体から離間可能であることを特徴とする請求項５６に記載のプロセスカートリッジ。
【請求項５８】
前記プロセスカートリッジは、前記感光体を回転可能に支持する感光体枠体を有し、
前記解除部材は、前記感光体枠体と係合することで前記解除部材が前記現像枠体とともに回動するのを規制する被係合部を有することを特徴とする請求項５６又は５７に記載のプロセスカートリッジ。
【請求項５９】
前記回動部材は、前記感光体を回転可能に支持する感光体枠体であることを特徴とする請求項３４乃至５１のいずれか１項に記載のプロセスカートリッジ。
【請求項６０】
前記プロセスカートリッジは、前記現像ローラを回転可能に支持する現像枠体を有し、前記解除部材は前記現像枠体とともに前記感光体枠体に対して回転することを特徴とする請求項５９に記載のプロセスカーとリッジ。
【請求項６１】
前記プロセスカートリッジは、
前記現像ローラを回転可能に支持する現像枠体と、
前記感光体を回転可能に支持する感光体枠体と、
を有し、
前記現像枠体が前記感光体枠体に対して回動することで、前記現像ローラは前記感光体から離間可能であることを特徴とする請求項１乃至６０のいずれか１項に記載のプロセスカートリッジ。
【請求項６２】
前記カートリッジ側駆動伝達部材の回転中心は、前記感光体枠体に対する前記現像枠体の回動中心と実質的に同軸上に位置することを特徴とする請求項６１に記載のプロセスカートリッジ。
【請求項６３】
前記プロセスカートリッジは、前記現像ローラを回転可能に支持する現像枠体を有し、
前記解除部材は、前記本体側駆動伝達部材を付勢するための力を前記現像枠体から受けるように構成されていることを特徴とする請求項１乃至６２のいずれか１項に記載のプロセスカートリッジ。
【請求項６４】
前記プロセスカートリッジは、前記感光体を回転可能に支持する感光体枠体を有し、
前記解除部材は、前記本体側駆動伝達部材を付勢するための力を前記感光体枠体から受けるように構成されていることを特徴とする請求項１乃至６３のいずれか１項に記載のプロセスカートリッジ。
【請求項６５】
前記本体側駆動伝達部材を付勢するための力を前記解除部材に加えるように構成された弾性部材を有することを特徴とする請求項１乃至６４のいずれか１項に記載のプロセスカートリッジ。
【請求項６６】
前記プロセスカートリッジは、前記現像ローラを回転可能に支持する現像枠体を有し、
前記解除部材は、前記プロセスカートリッジの内部に向けて移動するための力を前記現像枠体から受けるように構成されていることを特徴とする請求項１乃至６５のいずれか１項に記載のプロセスカートリッジ。
【請求項６７】
前記プロセスカートリッジは、前記感光体を回転可能に支持する感光体枠体を有し、
前記解除部材は、前記プロセスカートリッジの内部に向けて移動するための力を前記感光体枠体から受けるように構成されたことを特徴とする請求項１乃至６６のいずれか１項に記載のプロセスカートリッジ。
【請求項６８】
前記プロセスカートリッジの内部に移動するための力を前記解除部材に加えるように構成された弾性部材を有することを特徴とする請求項１乃至６７のいずれか１項に記載のプロセスカートリッジ。
【請求項６９】
前記現像ローラの回転軸線に沿って前記プロセスカートリッジを見たときに、前記カートリッジ側駆動伝達部材と、前記付勢力受け部との間に、前記現像ローラが配置されていることを特徴とする請求項１乃至６８のいずれか１項に記載のプロセスカートリッジ。
【請求項７０】
請求項１乃至６９のいずれか１項に記載のプロセスカートリッジと、
前記本体側駆動伝達部材と前記本体側付勢部材とを有する前記電子写真画像形成装置本体と、
を有することを特徴とする電子写真画像形成装置。
【手続補正２】
【補正対象書類名】明細書
【補正対象項目名】発明の名称
【補正方法】変更
【補正の内容】
【発明の名称】プロセスカートリッジ、および、電子写真画像形成装置
【手続補正３】
【補正対象書類名】明細書
【補正対象項目名】００１２
【補正方法】変更
【補正の内容】
【００１２】
本出願にて開示される代表的な構成は、
本体側駆動伝達部材と本体側付勢部材とを有する電子写真画像形成装置本体に着脱可能なプロセスカートリッジにおいて、
（ｉ）回転可能な感光体と、
（ｉｉ）前記感光体に形成された潜像を現像するべく回転可能であって、前記感光体に対し接離可能な現像ローラと、
（ｉｉｉ）前記本体側付勢部材から付勢力を受けるための付勢力受け部と、
（ｉｖ）前記本体側駆動伝達部材とカップリング可能で、前記現像ローラを回転させるための回転力が伝達され得るカートリッジ側駆動伝達部材と、
（ｖ）前記付勢力受け部が前記本体側付勢部材から前記付勢力を受けることによって、前記カートリッジ側駆動伝達部材と前記本体側駆動伝達部材とのカップリングを解除すべく前記本体側駆動伝達部材を付勢可能な解除部材と、
を有することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】